(57)【要約】【課題】有線、無線のネットワークにかかわらず、ネットワークに接続されている各機器の物理空間情報を簡便にコントローラに設定し、物理空間情報に基づいた機器の制御を可能とすることを目的とする。【解決手段】無線又は有線のネットワークに接続される設備機器及び設備コントローラを有する設備ネットワークシステムにおいて、物理空間に設けられ、固体識別情報を保持する設備機器と、物理空間の情報を入力する入力手段と、入力された物理空間情報を管理する物理空間管理手段と、固体識別情報を読み取る読み取り手段と、読み取った固体識別情報を、物理空間情報に対応させて管理する識別情報管理手段と、この物理空間情報に対応させた固体識別情報を送信する通信手段とを有する設定器と、設定器より送信された物理空間情報に対応させた固体識別情報に基づき、設備機器を物理空間に対応させて管理する設備コントローラとを備えたことを特徴とする。【選択図】        図１
2005260389.tif 000002
【特許請求の範囲】
【請求項１】
無線又は有線のネットワークに接続される設備機器及び設備コントローラを有する設備ネットワークシステムにおいて、
物理空間に設けられ、固体識別情報を保持する前記設備機器と、
前記物理空間の情報を入力する入力手段と、入力された前記物理空間情報を管理する物理空間管理手段と、前記固体識別情報を読み取る読み取り手段と、読み取った前記固体識別情報を、前記物理空間情報に対応させて管理する識別情報管理手段と、この物理空間情報に対応させた前記固体識別情報を送信する通信手段とを有する設定器と、
前記設定器より送信された前記物理空間情報に対応させた前記固体識別情報に基づき、前記設備機器を前記物理空間に対応させて管理する前記設備コントローラと、
を備えたことを特徴とする設備ネットワークシステム。
【請求項２】
無線又は有線のネットワークに接続される設備機器及び設備コントローラを有する設備ネットワークシステムにおいて、
物理空間に設けられ、固体識別情報を保持する記憶部と、前記固体識別情報取得要求を受信する受信部及び前記記憶部に保持する前記固体識別情報を送信する送信部を有する通信部とを備えた設備機器と、
前記物理空間の情報を入力する入力手段と、入力された前記物理空間情報を管理する物理空間管理手段と、通信部を有し、固体識別情報取得要求の送信及び前記設備機器から送信された前記固体識別情報を読み取る読み取り手段と、読み取った前記固体識別情報を、前記物理空間情報に対応させて管理する識別情報管理手段と、この物理空間情報に対応させた前記固体識別情報を送信する通信手段とを有する設定器と、
前記設定器より送信された前記物理空間情報に対応させた前記固体識別情報に基づき、前記設備機器を前記物理空間に対応させて管理する前記設備コントローラと、
を備えたことを特徴とする設備ネットワークシステム。
【請求項３】
前記設定器の物理空間情報に対応させた固体識別情報を送信する通信手段を、ブルートゥース（Ｂｌｕｅｔｏｏｔｈ）で構成したことを特徴とする請求項１又は請求項２記載の設備ネットワークシステム。
【請求項４】
前記設定器の物理空間情報に対応させた固体識別情報を送信する通信手段を、外部ネットワークに接続して機器管理サーバから前記設備コントローラに通知する構成としたことを特徴とする請求項１又は請求項２記載の設備ネットワークシステム。
【請求項５】
前記設備コントローラは、前記ネットワークに接続される各設備機器に対して物理空間情報を設定することを特徴とする請求項１又は請求項２記載の設備ネットワークシステム。
【請求項６】
前記設備機器は前記固体識別情報をＱＲコード（Ｑｕｉｃｋ  Ｒｅｓｐｏｎｓｅコード）又はバーコードに保持し、前記設定器は前記読み取り手段として携帯端末を用いることを特徴とする請求項１記載の設備ネットワークシステム。
【請求項７】
前記設備機器は前記固体識別情報をＲＦタグ（非接触型ＩＣタグ）に保持し、前記設定器は前記読み取り手段としてＲＦタグリーダを用いることを特徴とする請求項１記載の設備ネットワークシステム。
【請求項８】
前記設備機器と前記設定器との通信に赤外線を用いたことを特徴とする請求項２記載の設備ネットワークシステム。
【発明の詳細な説明】
【技術分野】
【０００１】
この発明は、無線又は有線のネットワークに接続される設備機器及び設備コントローラから構成される設備ネットワークシステムに関するもので、設備機器の物理空間情報の設定方法に関する。
【背景技術】
【０００２】
従来のネットワークシステムにおける機器の物理的位置を認識する方法は、有線のネットワークであれば、通信端末接続用のコネクタに固有の識別番号を発生する手段を設け、コネクタの識別番号とその物理的位置を示すデータの対照情報を保持するデータベース装置をネットワーク上に配置し、機器が接続されているコネクタの識別番号に基づいて機器の物理的位置を認識することを可能としていた（例えば、特許文献１参照）。
【特許文献１】特開平５−２３５９５５号公報（第２頁〜６頁、第１図）
【発明の開示】
【発明が解決しようとする課題】
【０００３】
従来の機器の物理的位置情報の設定方法では、無線ネットワークのようにネットワーク上の位置が固定されず、コネクタのように位置を把握できるものがない場合には、機器へ容易に物理的位置情報を設定することが出来ないという問題点があった。また、あらかじめコネクタの識別番号とその物理的位置の対照表を作成し、保持する必要があった。
【０００４】
この発明は上記のような問題点を解決するためになされたもので、有線、無線のネットワークにかかわらず、ネットワークに接続されている各機器の物理空間情報を簡便にコントローラに設定し、物理空間情報に基づいた機器の制御を可能とすることを目的とする。
【課題を解決するための手段】
【０００５】
この発明にかかる設備ネットワークシステムは、無線又は有線のネットワークに接続される設備機器及び設備コントローラを有する設備ネットワークシステムにおいて、物理空間に設けられ、固体識別情報を保持する設備機器と、物理空間の情報を入力する入力手段と、入力された物理空間情報を管理する物理空間管理手段と、固体識別情報を読み取る読み取り手段と、読み取った固体識別情報を、物理空間情報に対応させて管理する識別情報管理手段と、この物理空間情報に対応させた固体識別情報を送信する通信手段とを有する設定器と、設定器より送信された物理空間情報に対応させた固体識別情報に基づき、設備機器を物理空間に対応させて管理する設備コントローラとを備えたことを特徴とする。
【発明の効果】
【０００６】
この発明にかかる設備ネットワークシステムは、上記構成により、物理空間情報と同一物理空間に存在する機器が簡単に対応付けられる。また、その情報を設備コントローラに送信することにより、設備コントローラは設備機器を物理空間に対応させて管理することが容易に可能となる。
【発明を実施するための最良の形態】
【０００７】
実施の形態１．
図１〜６は実施の形態１を示す図で、図１は設備ネットワークシステムのシステム構成図、図２はＱＲコードの例を示す図、図３は設備ネットワークシステムの携帯端末の内部構成を示す図、図４は動作を示す図、図５は携帯端末のカメラで設備機器のＱＲコードを読み取る例を示す図、図６は設定者の操作のフローを示す図である。
【０００８】
図１において、家１には複数の部屋２（２ａ〜２ｄ）が存在し、部屋２内には、家電機器（例えば、空気調和機）等の設備機器１０１〜１０７及び設備機器１０１〜１０７を監視制御する設備コントローラ３が有線又は無線のネットワーク４で接続されている。設備機器１０１〜１０７には、例えば、ＱＲコード（Ｑｕｉｃｋ  Ｒｅｓｐｏｎｓｅコード、マトリクス型２次元コード、例を図２に示す）等により、固体識別情報２０１〜２０７が保持されている。また、携帯電話等の携帯端末５は設備機器１０１〜１０７が設置されている部屋等の物理空間情報を設定する。
部屋２は、物理空間に相当する。
【０００９】
図３の携帯端末５の内部構成を示す図に示すように、携帯端末５は、部屋２を特定するための入力操作を行なう入力手段５１、設備機器１０１〜１０７の識別情報を読み取る読み取り手段５２、設備機器１０１〜１０７が設置されている部屋等の空間情報を管理する物理空間管理手段５３、設備機器１０１〜１０７の識別情報を管理する識別情報管理手段５４、識別情報管理手段５４の機器情報を設備コントローラ３へ送信する通信手段５５を備える。通信手段５５は、ここではブルートゥース（Ｂｌｕｅｔｏｏｔｈ）を用いるものとする。
【００１０】
ブルートゥース（Ｂｌｕｅｔｏｏｔｈ）は、数ｍ〜数十ｍ程度の近距離で、パソコン、ＰＤＡ（携帯情報端末）、周辺機器を相互接続したり、パソコンをワイヤレスでローカル・エリア・ネットワーク（ＬＡＮ）に接続したりすりために使用される汎用無線通信技術である。
【００１１】
次に動作について説明する。
図４の動作を示す図で、携帯端末５の内部にある物理空間管理手段５３と識別情報管理手段５４とについて、時間の経過に伴う処理を表わしており、縦軸下方向が時間の経過を表わす。
【００１２】
先ず、物理空間管理手段５３の概要を説明する。設定者は部屋２ａに入室するとともに、携帯端末５にて部屋入室操作Ｓ５１１を行なう。部屋入室操作Ｓ５１１は、例えば、入力手段５１により部屋番号を入力することにより行なう。部屋入室操作Ｓ５１１により、携帯端末５内の物理空間管理手段５３には“入室”が入力され（Ｓ５３１）、物理空間管理手段５３は入室状態６０に変化するとともに、現在の部屋を示す部屋ＩＤを保持する。設定者が部屋２ａを退室するととともに、部屋退室操作Ｓ５１２を行ない、これによって物理空間管理手段５３に“退室”が入力され（Ｓ５３２）、入室状態６０が解除される。
【００１３】
同様に設定者が部屋２ｂに入室するとともに、部屋入室操作Ｓ５１３を行なうと、物理空間管理手段５３には“入室”が入力され（Ｓ５３３）、物理空間管理手段５３は入室状態６１に変化するとともに、現在の部屋を示す部屋ＩＤを保持する。設定者が部屋２ｂを退室するととともに、部屋退室操作Ｓ５１４を行ない、これによって物理空間管理手段５３に“退室”が入力され（Ｓ５３４）、入室状態６１が解除される。
【００１４】
次に識別情報管理手段５４について概要を説明する。設定者は部屋２ａ内で、設備機器１０１の機器読み取り操作Ｓ５２１を行なう。機器読み取り操作Ｓ５２１は、例えば、設備機器１０１に貼り付けられたＱＲコード２０１ａを携帯端末５に内蔵するカメラ５２ａにより取得することにより実現する（図５参照）。
ＱＲコードに代えて、バーコードに固体識別情報を保持させてもよい。
【００１５】
機器読み取り操作Ｓ５２１により、携帯端末５内の識別情報管理手段５４には機器登録が入力される（Ｓ５４１）。同様に設備機器１０２の読み取り操作Ｓ５２２により、携帯端末５内の識別情報管理手段５４には機器登録が入力され（Ｓ５４２）、以下、設備機器１０３、設備機器１０４についても同様の入力がなされる。
【００１６】
ここで、物理空間管理手段５３と識別情報管理手段５４との連携について説明する。
時間軸での流れでは、入室入力と退室入力との間に、機器登録Ｓ５４１及び機器登録Ｓ５４２がなされているので、設備機器１０１と設備機器１０２とは同じ部屋２ａに存在すると判断される。同様に設備機器１０３と設備機器１０４とが同じ部屋２ｂに存在すると判断される。このようにして設備機器１０１、１０２及び設備機器１０３と１０４がそれぞれ同じ部屋に存在すると認識された状態、すなわち便宜的にグループ化されて携帯端末５に記憶されることになる。
【００１７】
以上の手順により、携帯端末５には便宜的にグループ化された各設備機器１０１、１０２、１０３、１０４が記憶されている。
【００１８】
図６で設定者の操作のフローを総括する。
先ず、ステップＳ１００で、設定者が部屋２ａに入室するとともに、携帯端末５の入力手段５１により部屋番号を入力する（図４の部屋入室操作Ｓ５１１）。
ステップＳ１０１で、設備機器１０１に貼り付けられたＱＲコード２０１ａを携帯端末５に内蔵するカメラにより読み取る（図４の機器読み取り操作Ｓ５２１）。
ステップＳ１０２で、設備機器１０２に貼り付けられたＱＲコード２０２ａを携帯端末５に内蔵するカメラにより読み取る（図４の機器読み取り操作Ｓ５２２）。
ステップＳ１０３で、設定者が部屋２ａを退室するとともに部屋退室操作Ｓ５１２を行う。
【００１９】
ステップＳ１０４で、設定者が部屋２ｂに入室するとともに、携帯端末５の入力手段５１により部屋番号を入力する（図４の部屋入室操作Ｓ５１３）。
ステップＳ１０５で、設備機器１０３に貼り付けられたＱＲコード２０３ａを携帯端末５に内蔵するカメラにより読み取る（図４の機器読み取り操作Ｓ５２３）。
ステップＳ１０６で、設備機器１０４に貼り付けられたＱＲコード２０４ａを携帯端末５に内蔵するカメラにより読み取る（図４の機器読み取り操作Ｓ５２４）。
ステップＳ１０７で、設定者が部屋２ｂを退室するとともに部屋退室操作Ｓ５１４を行う。
【００２０】
他の部屋２ｃ、２ｄについても同様の操作を行い、最後にステップＳ１０８で、携帯端末５の識別情報管理手段５４の情報を、設備コントローラ３に一括送信する。
【００２１】
このときの送信は、本実施の形態では、例えば、ブルートゥース（Ｂｌｕｅｔｏｏｔｈ）や微弱無線のような近距離無線通信により行う。無線ＬＡＮを使用してもよい。
【００２２】
そして、設備コントローラ３では携帯端末５から受信した識別情報管理情報に基づいて、具体的な部屋名称等を設定し、各設備機器と物理空間情報を対応させた機器管理を容易に行なうことが可能となる。
【００２３】
また、ネットワーク４を通じて各設備機器１０１〜１０７に物理空間情報を設定することも可能である。
【００２４】
また、一括送信は部屋入室操作Ｓ５１１や部屋退室操作Ｓ５１２のときに個別に送信してもよいし、さらには、機器登録Ｓ５４１、Ｓ５４２、Ｓ５４３、Ｓ５４４のそれぞれに対して個別に送信してもよい。
【００２５】
上述の実施の形態によれば、（２ａ〜２ｄ）の物理空間情報と同一物理空間に存在する設備機器１０１〜１０７が簡単に対応付けられる。また、その情報を設備コントローラ３に送信することにより、設備コントローラ３は設備機器１０１〜１０７を物理空間に対応させて管理することが容易に可能となる。
【００２６】
実施の形態２．
図７、８は実施の形態２を示す図で、図７は設備ネットワークシステムにおいて外部ネットワークへ接続する場合のシステム構成を示す図、図８は設定者の操作のフローを示す図である。
実施の形態１では、携帯端末５の識別情報管理手段５４の情報を、例えば、ブルートゥース（Ｂｌｕｅｔｏｏｔｈ）や微弱無線のような近距離無線通信を用いて設備コントローラ３に一括送信する例を示したが、図７に示すように、携帯端末５から外部ネットワーク６に接続し、携帯サイトによる機器管理サーバ７を経由して設備コントローラ３に通知してもよい。
【００２７】
この場合の、設定者の操作のフローは図８のようになるが、ステップＳ１０９だけが図６と異なり、その操作は上記の通りである。
【００２８】
このように構成すれば、機器管理サーバ７において設備機器の情報を収集することが可能となり、家電機器捕捉も行なえる。
【００２９】
実施の形態３．
図９は実施の形態３を示す図で、設備機器のＲＦタグから携帯端末のＲＦタグリーダにより固体識別情報を読み取る概念図である。
実施の形態１では、ＱＲコードにより、固体識別情報２０１〜２０７が保持され、ＱＲコードを携帯端末５に内蔵するカメラ５２ａにより取得する例を示したが、図９に示すように、設備機器１０１〜１０７の固体識別情報を保持するのにＲＦタグ２０１ｂ〜２０７ｂ（非接触型ＩＣタグ）を、携帯端末５の読み取り手段５２としてＲＦタグリーダ５２ｂを用いてもよい。
【００３０】
ＲＦタグは、電波を使用してデータの読み書きを行う電子デバイスのことで、下記のメリットを有する。
（１）非接触型でデータの読み込みと書き換えが可能である。
（２）障害物を通しても電波の届く範囲であれば、データの交信が可能である。
（３）世界に１つしかない固有なユーザ識別番号だけを持つ（ＣＰＵなし、メモリのみを搭載）ことにより、小型化、低価格が実現可能である。
（４）電波で交信するため、汚れ、埃等の影響を受けない。
（５）衝突防止機能搭載により、複数のタグの同時読み取りが可能である。
【００３１】
実施の形態４．
図１０〜１３は実施の形態４を示す図で、図１０は設備ネットワークシステムのシステム構成図、図１１は設備ネットワークシステムの携帯端末及び設備機器の内部構成を示す図、図１２は動作を示す図、図１３は設定者の操作のフローを示す図である。図において、図１及び図２と同一又は相当部分については同一符号を付し、説明を省略する。
【００３２】
実施の形態１では、設備機器１０１〜１０７にはＱＲコード等により固体識別情報が貼り付けられていたが、図１０に示す設備機器１０１〜１０７は、赤外線通信部３０１〜３０７を有する。
【００３３】
図１１において、設備機器１０１〜１０７は、ネットワーク４を通じて設備コントローラ３と通信する通信部１１、設備機器１０１の各制御を行なう制御部１２、設備機器１０１〜１０７の各種プログラムや状態値及び機器固体識別情報を保持する記憶部１３、携帯端末５からの固体識別情報取得要求を受信する受信部１６及び設備機器の記憶部１３内に保持する固体識別情報を送信する送信部１５を有する赤外線通信部１４を備える。
【００３４】
また、携帯端末５の読み取り手段５２は、赤外線通信手段５６を有し、設備機器１０１〜１０７への固体識別情報取得要求の送信及び固体識別情報の受信を行なう。但し、設備機器１０１〜１０７と携帯端末５との通信は、赤外線以外のものでもよい。
【００３５】
次に動作について説明する。
図１２は本実施の形態の動作を示す図であるが、図４と同一又は相当部分については同一符号を付し、説明を省略する。
図１２は携帯端末５の内部にある物理空間管理手段５３、識別情報管理手段５４、並びに設備機器１０１〜１０７の赤外線通信部１４について、時間の経過に伴う処理を表わしており、縦軸下方向が時間の経過を表わす。
【００３６】
まず、物理空間管理手段５３の概要を説明する。設定者は部屋２ａに入室するとともに、携帯端末５にて部屋入室操作Ｓ５１１を行なう。部屋入室操作Ｓ５１１は、例えば、入力手段５１により部屋番号を入力することにより行なう。部屋入室操作Ｓ５１１により、携帯端末５内の物理空間管理手段５３には“入室”が入力され（Ｓ５３１）、物理空間管理手段５３は入室状態６０に変化するとともに、現在の部屋を示す部屋ＩＤを保持する。設定者が部屋２ａを退室するととともに、部屋退室操作Ｓ５１２を行ない、これによって物理空間管理手段５３に“退室”が入力され（Ｓ５３２）、入室状態６０が解除される。
【００３７】
同様に設定者が部屋２ｂに入室するとともに、部屋入室操作Ｓ５１３を行なうと、物理空間管理手段５３には“入室”が入力され（Ｓ５３３）、物理空間管理手段５３は入室状態６１に変化するとともに、現在の部屋を示す部屋ＩＤを保持する。設定者が部屋２ｂを退室するととともに、部屋退室操作Ｓ５１４を行ない、これによって物理空間管理手段５３に“退室が”入力され（Ｓ５３４）、入室状態６１が解除される。
【００３８】
次に識別情報管理手段５４について概要を説明する。設定者は部屋２ａ内で、設備機器１０１の機器読み取り操作Ｓ５２１を行なう。機器読み取り操作Ｓ５２１は設備機器１０１に対して固体識別情報取得要求を赤外線通信手段５６から送信する。受信した設備機器１０１は記憶部１３に保持する固体識別情報を赤外線通信部１４の送信部１５から送信する。読み取り手段５２にて固体識別情報を受信することにより、携帯端末５内の識別情報管理手段５４に対して機器登録が入力される（Ｓ５４１）。
【００３９】
同様に設備機器１０２の読み取り操作Ｓ５２２により設備機器１０２の固体識別情報を取得し、携帯端末５内の識別情報管理手段５４には機器登録が入力される（Ｓ５４２）。以下、設備機器１０３、設備機器１０４についても同様の入力がなされる。
【００４０】
ここで、物理空間管理手段５３と識別情報管理手段５４との連携について説明する。
時間軸での流れでは、入室入力と退室入力との間に、機器登録Ｓ５４１及び機器登録Ｓ５４２がなされているので、設備機器１０１と設備機器１０２とは同じ部屋２ａに存在すると判断される。同様に設備機器１０３と設備機器１０４とが同じ部屋２ｂに存在すると判断される。このようにして設備機器１０１、１０２及び設備機器１０３、１０４がそれぞれ同じ部屋に存在すると認識された状態、すなわち便宜的にグループ化されて携帯端末５に記憶されることになる。
以上の手順により、携帯端末５には便宜的にグループ化された設備機器１０１、１０２、１０３、１０４が記憶されている。
【００４１】
図１３で設定者の操作のフローを総括する。
先ず、ステップＳ２００で、設定者が部屋２ａに入室するとともに、携帯端末５の入力手段５１により部屋番号を入力する（図１２の部屋入室操作Ｓ５１１）。
ステップＳ２０１で、設備機器１０１の機器読み取り操作Ｓ５２１を赤外線通信により行う。
ステップＳ２０２で、設備機器１０２の読み取り操作Ｓ５２２を赤外線通信により行う。
ステップＳ２０３で、設定者が部屋２ａを退室するとともに部屋退室操作Ｓ５１２を行う。
【００４２】
ステップＳ２０４で、設定者が部屋２ｂに入室するとともに、携帯端末５の入力手段５１により部屋番号を入力する（図１２の部屋入室操作Ｓ５１３）。
ステップＳ２０５で、設備機器１０３の読み取り操作Ｓ５２３を赤外線通信により行う。
ステップＳ２０６で、設備機器１０４の読み取り操作Ｓ５２４を赤外線通信により行う。
ステップＳ２０７で、設定者が部屋２ｂを退室するとともに部屋退室操作Ｓ５１４を行う。
【００４３】
他の部屋２ｃ、２ｄについても同様の操作を行い、最後にステップＳ２０８で、携帯端末５の識別情報管理手段５４の情報を内部のネットワーク４により、設備コントローラ３に一括送信する。
【００４４】
このときの送信は、本実施の形態では、例えば、ブルートゥース（Ｂｌｕｅｔｏｏｔｈ）や微弱無線のような近距離無線通信により行う。
【００４５】
設備コントローラ３では、携帯端末５から受信した識別情報管理情報に基づいて、具体的な部屋名称等を設定し、各設備機器１０１〜１０７と物理空間情報を対応させた機器管理を容易に行なうことが可能となる。
【００４６】
また、ネットワーク４を通じて各設備機器１０１〜１０７に物理空間情報を設定することも可能である。
【００４７】
実施の形態５．
図１４、１５は実施の形態５を示す図で、図１４は設備ネットワークシステムにおいて外部ネットワークへ接続する場合のシステム構成を示す図、図１５は設定者の操作のフローを示す図である。
実施の形態４では、携帯端末５の識別情報管理手段５４の情報を、例えば、ブルートゥース（Ｂｌｕｅｔｏｏｔｈ）や微弱無線のような近距離無線通信を用いて設備コントローラ３に一括送信する例を示したが、図１４に示すように、携帯端末５から外部ネットワーク６に接続し、携帯サイトによる機器管理サーバ７を経由して設備コントローラ３に通知してもよい。
【００４８】
この場合の、設定者の操作のフローは図１５のようになるが、ステップＳ２０９だけが図１３と異なり、その操作は上記の通りである。
【００４９】
このように構成すれば、機器管理サーバ７において設備機器の情報を収集することが可能となり、家電機器捕捉も行なえる。
【図面の簡単な説明】
【００５０】
【図１】実施の形態１を示す図で、設備ネットワークシステムのシステム構成図である。
【図２】実施の形態１を示す図で、ＱＲコードの例を示す図である。
【図３】実施の形態１を示す図で、設備ネットワークシステムの携帯端末の内部構成を示す図である。
【図４】実施の形態１を示す図で、動作を示す図である。
【図５】実施の形態１を示す図で、携帯端末のカメラで設備機器のＱＲコードを読み取る例を示す図である。
【図６】実施の形態１を示す図で、設定者の操作のフローを示す図である。
【図７】実施の形態２を示す図で、設備ネットワークシステムにおいて外部ネットワークへ接続する場合のシステム構成を示す図である。
【図８】実施の形態２を示す図で、設定者の操作のフローを示す図である。
【図９】実施の形態３を示す図で、設備機器のＲＦタグから携帯端末のＲＦタグリーダにより固体識別情報を読み取る概念図である。
【図１０】実施の形態４を示す図で、設備ネットワークシステムのシステム構成図である。
【図１１】実施の形態４を示す図で、設備ネットワークシステムの携帯端末及び設備機器の内部構成を示す図である。
【図１２】実施の形態４を示す図で、動作を示す図である。
【図１３】実施の形態４を示す図で、設定者の操作のフローを示す図である。
【図１４】実施の形態５を示す図で、設備ネットワークシステムにおいて外部ネットワークへ接続する場合のシステム構成を示す図である。
【図１５】実施の形態５を示す図で、設定者の操作のフローを示す図である。
【符号の説明】
【００５１】
１  家、２，２ａ〜２ｄ  部屋、３  設備コントローラ、４  ネットワーク、５  携帯端末、６  外部ネットワーク、７  機器管理サーバ、１１  通信部、１２  制御部、１３  記憶部、１４  赤外線通信部、１５  送信部、１６  受信部、１７  固体識別情報、５１  入力手段、５２  読み取り手段、５２ａ  カメラ、５２ｂ  ＲＦタグリーダ、５３  物理空間管理手段、５４  識別情報管理手段、５５  通信手段、５６  赤外線通信手段、１０１〜１０７  設備機器、２０１〜２０７  固体識別情報、２０１ａ〜２０７ａ  ＱＲコード、２０１ｂ〜２０７ｂ  ＲＦタグ、３０１〜３０７  赤外線通信部。
【図１】
2005260389.tif 000003
【図２】
2005260389.tif 000004
【図３】
2005260389.tif 000005
【図４】
2005260389.tif 000006
【図５】
2005260389.tif 000007
【図６】
2005260389.tif 000008
【図７】
2005260389.tif 000009
【図８】
2005260389.tif 000010
【図９】
2005260389.tif 000011
【図１０】
2005260389.tif 000012
【図１１】
2005260389.tif 000013
【図１２】
2005260389.tif 000014
【図１３】
2005260389.tif 000015
【図１４】
2005260389.tif 000016
【図１５】
2005260389.tif 000017